(57)【要約】  本開示は、ワイヤレスドッキングの態様が近傍に基づくアンドッキング技法を用いて機能することができるドッキングシステム環境に対して適用可能な無線通信技法、プロトコル、方法、及びデバイスについて説明する。幾つかの例においては、本開示の技法は、ワイヤレス被ドッキング体のユーザが知ることなしに悪意のあるユーザがワイヤレス被ドッキング体と対話するためにワイヤレスドッキングセンターを通じて利用可能な周辺機器を使用するのを防止するためにワイヤレス被ドッキング体がワイヤレスドッキングセンターの近傍から出る状況においてワイヤレスドッキングセンターがワイヤレス被ドッキング体をアンドッキングするのを可能にする。その他の例においては、ワイヤレス被ドッキング体は、ワイヤレス被ドッキング体がワイヤレスドッキングセンターの近傍から出るときにワイヤレスドッキングセンターからそれ自体をアンドッキングすることができる。
2016531461.tif 000002
【特許請求の範囲】
【請求項１】
ワイヤレスドッキング環境における近傍に基づくアンドッキングのための方法であって、
ワイヤレス被ドッキング体とワイヤレスドッキングセンターとの間での通信の信号強度を測定することと、
前記測定された信号強度に基づいて前記ワイヤレスドッキングセンターから前記ワイヤレス被ドッキング体をアンドッキングすることと、を備える、方法。
【請求項２】
前記測定された信号強度は、正規化受信信号強度（ＮＲＳＳＩ）である請求項１に記載の方法。
【請求項３】
前記測定された信号強度に基づいて前記ワイヤレスドッキングセンターから前記ワイヤレス被ドッキング体をアンドッキングすることは、
前記測定された信号強度が低い方のスレショルドを下回る場合はタイマを始動させることと、
前記ワイヤレス被ドッキング体と前記ワイヤレスドッキングセンターとの間での前記通信の前記信号強度を測定するのを継続することと、
前記測定された信号強度が高い方のスレショルドを上回る場合は前記タイマを停止させることであって、それによって前記ワイヤレス被ドッキング体及び前記ワイヤレスドッキングセンターはドッキングされた状態であり、ここにおいて、前記高い方のスレショルドは、前記低い方のスレショルドよりも高い値を有することと、
前記タイマが時間切れである場合に前記ワイヤレスドッキングセンターから前記ワイヤレス被ドッキング体をアンドッキングすることと、を備える請求項１に記載の方法。
【請求項４】
前記測定された信号強度に基づいて前記ワイヤレスドッキングセンターから前記ワイヤレス被ドッキング体をアンドッキングすることは、
前記測定された信号強度が低い方のスレショルドを下回る場合はタイマを始動させることと、
アンドッキングがペンディング状態であることを示すメッセージを前記ワイヤレスドッキングセンターから前記ワイヤレス被ドッキング体に送信することと、
前記ワイヤレス被ドッキング体と前記ワイヤレスドッキングセンターとの間での前記通信の前記信号強度を測定するのを継続することと、
前記測定された信号強度が高い方のスレショルドを上回る場合は前記タイマを停止させることであって、それによって、前記ワイヤレス被ドッキング体及び前記ワイヤレスドッキングセンターはドッキングされた状態であり、ここにおいて、前記高い方のスレショルドは、前記低い方のスレショルドよりも高い値を有することと、
前記タイマが時間切れである場合に前記ワイヤレスドッキングセンターから前記ワイヤレス被ドッキング体をアンドッキングすることと、を備える請求項１に記載の方法。
【請求項５】
前記方法は、前記ワイヤレスドッキングセンターによって実行される請求項１乃至４のうちのいずれかに記載の方法。
【請求項６】
前記方法は、前記ワイヤレス被ドッキング体によって実行される請求項１乃至３のうちのいずれかに記載の方法。
【請求項７】
ワイヤレスドッキング環境において近傍に基づくアンドッキングを行うように構成されたワイヤレス被ドッキング体であって、
ワイヤレスドッキングセンターと通信するように構成された無線通信ユニットと、
前記ワイヤレス被ドッキング体と前記ワイヤレスドッキングセンターとの間での前記通信の信号強度を測定するように構成された信号強度測定ユニットと、
前記測定された信号強度に基づいて前記ワイヤレスドッキングセンターから前記ワイヤレス被ドッキング体をアンドッキングするように構成されたアンドッキング決定ユニットと、を備える、ワイヤレス被ドッキング体。
【請求項８】
前記測定された信号強度は、正規化受信信号強度（ＮＲＳＳＩ）である請求項７に記載のワイヤレス被ドッキング体。
【請求項９】
前記アンドッキング決定ユニットは、
前記測定された信号強度が低い方のスレショルドを下回る場合はタイマを始動させるようにさらに構成され、
前記ワイヤレス被ドッキング体と前記ワイヤレスドッキングセンターとの間での前記通信の前記信号強度を測定するのを継続するようにさらに構成され、
前記測定された信号強度が高い方のスレショルドを上回る場合は前記タイマを停止させるようにさらに構成され、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有し、及び
前記タイマが時間切れである場合に前記ワイヤレスドッキングセンターから前記ワイヤレス被ドッキング体をアンドッキングするようにさらに構成される請求項７に記載のワイヤレス被ドッキング体。
【請求項１０】
ワイヤレスドッキング環境において近傍に基づくアンドッキングを行うように構成されたワイヤレスドッキングセンターであって、
ワイヤレス被ドッキング体と通信するように構成された無線通信ユニットと、
前記ワイヤレス被ドッキング体と前記ワイヤレスドッキングセンターとの間での前記通信の信号強度を測定するように構成された信号強度測定ユニットと、
前記測定された信号強度に基づいて前記ワイヤレスドッキングセンターから前記ワイヤレス被ドッキング体をアンドッキングするように構成されたアンドッキング決定ユニットと、を備える、ワイヤレスドッキングセンター。
【請求項１１】
前記測定された信号強度は、正規化受信信号強度（ＮＲＳＳＩ）である請求項１０に記載のワイヤレスドッキングセンター。
【請求項１２】
前記アンドッキング決定ユニットは、
前記測定された信号強度が低い方のスレショルドを下回る場合はタイマを始動させるようにさらに構成され、
前記ワイヤレス被ドッキング体と前記ワイヤレスドッキングセンターとの間での前記通信の前記信号強度を測定するのを継続するようにさらに構成され、
前記測定された信号強度が高い方のスレショルドを上回る場合は前記タイマを停止させるようにさらに構成され、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有し、及び
前記タイマが時間切れである場合に前記ワイヤレスドッキングセンターから前記ワイヤレス被ドッキング体をアンドッキングするようにさらに構成される請求項１０に記載のワイヤレスドッキンセンター。
【請求項１３】
前記アンドッキング決定ユニットは、
前記測定された信号強度が低い方のスレショルドを下回る場合はタイマを始動させるようにさらに構成され、
アンドッキングがペンディング状態であることを示すメッセージを前記ワイヤレス被ドッキング体に送信するようにさらに構成され、
前記ワイヤレス被ドッキング体と前記ワイヤレスドッキングセンターとの間での前記通信の前記信号強度を測定するのを継続するようにさらに構成され、
前記測定された信号強度が高い方のスレショルドを上回る場合は前記タイマを停止させるようにさらに構成され、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有し、及び
前記タイマが時間切れである場合に前記ワイヤレスドッキングセンターから前記ワイヤレス被ドッキング体をアンドッキングするようにさらに構成される請求項１０に記載のワイヤレスドッキングセンター。
【請求項１４】
ワイヤレスドッキング環境において近傍に基づくアンドッキングを行うように構成された装置であって、
ワイヤレス被ドッキング体とワイヤレスドッキングセンターとの間での通信の信号強度を測定するための手段と、
前記測定された信号強度に基づいて前記ワイヤレスドッキングセンターから前記ワイヤレス被ドッキング体をアンドッキングするための手段と、を備える、装置。
【請求項１５】
前記測定された信号強度は、正規化受信信号強度（ＮＲＳＳＩ）である請求項１４に記載の装置。
【請求項１６】
前記測定された信号強度に基づいて前記ワイヤレスドッキングセンターから前記ワイヤレス被ドッキング体をアンドッキングするための前記手段は、
前記測定された信号強度が低い方のスレショルドを下回る場合はタイマを始動させるための手段と、
前記ワイヤレス被ドッキング体と前記ワイヤレスドッキングセンターとの間での前記通信の前記信号強度を測定するのを継続するための手段と、
前記測定された信号強度が高い方のスレショルドを上回る場合は前記タイマを停止させるための手段であって、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有する手段と、
前記タイマが時間切れである場合に前記ワイヤレスドッキングセンターから前記ワイヤレス被ドッキング体をアンドッキングするための手段と、を備える請求項１４に記載の装置。
【請求項１７】
前記測定された信号強度に基づいて前記ワイヤレスドッキングセンターから前記ワイヤレス被ドッキング体をアンドッキングするための前記手段は、
前記測定された信号強度が低い方のスレショルドを下回る場合はタイマを始動させるための手段と、
アンドッキングがペンディング状態であることを示すメッセージを前記ワイヤレスドッキングセンターから前記ワイヤレス被ドッキング体に送信するための手段と、
前記ワイヤレス被ドッキング体と前記ワイヤレスドッキングセンターとの間での前記通信の前記信号強度を測定するのを継続するための手段と、
前記測定された信号強度が高い方のスレショルドを上回る場合は前記タイマを停止させるための手段であって、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有する手段と、
前記タイマが時間切れである場合に前記ワイヤレスドッキングセンターから前記ワイヤレス被ドッキング体をアンドッキングするための手段と、を備える請求項１４に記載の装置。
【請求項１８】
前記装置は、前記ワイヤレスドッキングセンターである請求項１４乃至１７のうちのいずれかに記載の装置。
【請求項１９】
前記装置は、前記ワイヤレス被ドッキング体である請求項１４乃至１６のうちのいずれかに記載の装置。
【請求項２０】
実行されたときに、
ワイヤレス被ドッキング体とワイヤレスドッキングセンターとの間での通信の信号強度を測定し、及び
前記測定された信号強度に基づいて前記ワイヤレスドッキングセンターから前記ワイヤレス被ドッキング体をアンドッキングすることを近傍に基づくアンドッキングを行うように構成されたデバイスの１つ以上のプロセッサに行わせる命令を格納するコンピュータによって読み取り可能な記憶媒体。
【請求項２１】
前記測定された信号強度は、正規化受信信号強度（ＮＲＳＳＩ）である請求項２０に記載のコンピュータによって読み取り可能な記憶媒体。
【請求項２２】
前記命令は、
前記測定された信号強度が低い方のスレショルドを下回る場合はタイマを始動させ、
前記ワイヤレス被ドッキング体と前記ワイヤレスドッキングセンターとの間での前記通信の前記信号強度を測定するのを継続し、
前記測定された信号強度が高い方のスレショルドを上回る場合は前記タイマを停止させ、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有し、及び
前記タイマが時間切れである場合に前記ワイヤレスドッキングセンターから前記ワイヤレス被ドッキング体をアンドッキングすることを前記１つ以上のプロセッサにさらに行わせる請求項２０に記載のコンピュータによって読み取り可能な記憶媒体。
【請求項２３】
前記命令は、
前記測定された信号強度が低い方のスレショルドを下回る場合はタイマを始動させ、
アンドッキングがペンディング状態であることを示すメッセージを前記ワイヤレスドッキングセンターから前記ワイヤレス被ドッキング体に送信し、
前記ワイヤレス被ドッキング体と前記ワイヤレスドッキングセンターとの間での前記通信の前記信号強度を測定するのを継続し、
前記測定された信号強度が高い方のスレショルドを上回る場合は前記タイマを停止させ、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有し、及び
前記タイマが時間切れである場合に前記ワイヤレスドッキングセンターから前記ワイヤレス被ドッキング体をアンドッキングすることを前記１つ以上のプロセッサにさらに行わせる請求項２０に記載のコンピュータによって読み取り可能な記憶媒体。
【請求項２４】
前記デバイスは、前記ワイヤレスドッキングセンターである請求項２０乃至２３のうちのいずれかに記載のコンピュータによって読み取り可能な記憶媒体。
【請求項２５】
前記デバイスは、前記ワイヤレス被ドッキング体である請求項２０乃至２２のうちのいずれかに記載のコンピュータによって読み取り可能な記憶媒体。
【発明の詳細な説明】
【技術分野】
【０００１】
［０００１］本出願は、米国仮特許出願第６１／８３５，３７０号（出願日：２０１３年６月１４日）の利益を主張するものであり、その内容全体がここにおける引用によって組み入れられている。
【０００２】
［０００２］本開示は、電子デバイス間でのワイヤレスドッキングのための技法に関するものである。
【背景技術】
【０００３】
［０００３］ドッキングステーションは、“ドック”と呼ぶこともでき、電子デバイス、例えば、ラップトップコンピュータ、を周辺機器、例えば、モニタ、キーボード、マウス、プリンタ、又はその他のタイプの入力又は出力デバイスに結合するために時々使用される。これらのドッキングステーションは、典型には、電子デバイスとドッキングステーションとの間での物理的接続を要求する。さらに、電子デバイス及びドッキングステーションは、典型的には、ドッキング機能を使用することができるようになる前にドッキング通信を確立する。
【発明の概要】
【０００４】
［０００４］本開示は、ワイヤレスドッキングの態様が近傍に基づくアンドッキング技法（ｖｉｃｉｎｉｔｙ−ｂａｓｅｄ  ｕｎｄｏｃｋｉｎｇ  ｔｅｃｈｎｉｑｕｅ）を使用して機能することができるドッキングシステム環境に対して適用可能な無線通信技法、プロトコル、方法、及びデバイスについて説明する。ある例においては、本開示は、ワイヤレスドッキングされる物（以下、ワイヤレス被ドッキング体）（wireless dockee）又はワイヤレスドッキングセンターが、例えば、ワイヤレス被ドッキング体とワイヤレスドッキングセンターとの間での通信の測定された信号強度を用いて、ワイヤレス被ドッキング体の検出された近傍に基づいてアンドッキング手順を実装することができる。
【０００５】
［０００５］一例においては、本開示は、ワイヤレス被ドッキング体とワイヤレスドッキングセンターとの間での通信の信号強度を測定することと、測定された信号強度に基づいてワイヤレスドッキングセンターからワイヤレス被ドッキング体をアンドッキングすることと、を備えるワイヤレスドッキング環境における近傍に基づくアンドッキングのための方法について説明する。
【０００６】
［０００６］他の例においては、本開示は、ワイヤレスドッキング環境において近傍に基づくアンドッキングを行うように構成されたワイヤレス被ドッキング体について説明し、そのワイヤレス被ドッキング体は、ワイヤレスドッキングセンターと通信するように構成された無線通信ユニットと、ワイヤレス被ドッキング体とワイヤレスドッキングセンターとの間での通信の信号強度を測定するように構成された信号強度測定ユニットと、測定された信号強度に基づいてワイヤレスドッキングセンターからワイヤレス被ドッキング体をアンドッキングするように構成されたアンドッキング決定ユニットと、を備える。
【０００７】
［０００７］他の例においては、本開示は、ワイヤレスドッキング環境において近傍に基づくアンドッキングを行うように構成されたワイヤレスドッキングセンターについて説明し、そのワイヤレスドッキングセンターは、ワイヤレス被ドッキング体と通信するように構成された無線通信ユニットと、ワイヤレス被ドッキング体とワイヤレスドッキングセンターとの間での通信の信号強度を測定するように構成された信号強度測定ユニットと、測定された信号強度に基づいてワイヤレスドッキングセンターからワイヤレス被ドッキング体をアンドッキングするように構成されたアンドッキング決定ユニットと、を備える。
【０００８】
［０００８］他の例においては、本開示は、ワイヤレスドッキング環境において近傍に基づくアンドッキングを行うように構成された装置について説明し、その装置は、ワイヤレス被ドッキング体とワイヤレスドッキングセンターとの間での通信の信号強度を測定するための手段と、測定された信号強度に基づいてワイヤレスドッキングセンターからワイヤレス被ドッキング体をアンドッキングするための手段と、を備える。
【０００９】
［０００９］他の例においては、本開示は、実行されたときに、ワイヤレス被ドッキング体とワイヤレスドッキングセンターとの間での通信の信号強度を測定すること、及び、測定された信号強度に基づいてワイヤレスドッキングセンターからワイヤレス被ドッキング体をアンドッキングすることを、近傍に基づくアンドッキングを行うように構成されたデバイスの１つ以上のプロセッサに行わせる命令を格納するコンピュータによって読み取り可能な記憶媒体について説明する。
【００１０】
［００１０］１つ以上の例の詳細が、添付図面及び以下の説明において示される。それらの説明及び図面から、及び請求項からその他の特徴、目的、及び利点が明らかになるであろう。
【図面の簡単な説明】
【００１１】
【図１】［００１１］本開示の例による、ワイヤレス被ドッキング体が無線通信チャネルを通じてワイヤレスドッキングセンターと通信するワイヤレスドッキング環境例を示した概念図である。
【図２】［００１２］本開示の幾つかの例による、互いとのワイヤレスドッキングセッションを確立する前に最初の無線通信を互いにやり取りするための被ドッキング体とドッキングセンターとの間における通信の流れのための手順例を示した通信図である。
【図３】［００１３］本開示の技法を実装するように構成されたワイヤレス被ドッキング体及びワイヤレスドッキングセンターの例を示したブロック図である。
【図４】［００１４］本開示の技法による、ワイヤレスドッキングセンターによって補助される近傍に基づくアンドッキング手順のための呼の流れ例を示す。
【図５】［００１５］本開示の技法による、ワイヤレスドッキングセンターによって補助される近傍に基づくアンドッキング手順例を示したステートマシン例である。
【図６】［００１６］本開示の例による方法例を示したフローチャートである。
【発明を実施するための形態】
【００１２】
［００１７］以下においてさらに詳細に説明されるように、本開示は、ワイヤレスドッキングの態様が近傍に基づくアンドッキング技法を使用して機能することができるドッキングシステム環境に対して適用可能な無線通信技法、プロトコル、方法、及びデバイスについて説明する。幾つかの例においては、本開示の技法は、ワイヤレス被ドッキング体のユーザが知ることなしに悪意のあるユーザがワイヤレス被ドッキング体と対話するためにワイヤレスドッキングセンターを通じて利用可能な周辺機器を使用するのを防止するためにワイヤレス被ドッキング体がワイヤレスドッキングセンターの近傍から出るような状況においてワイヤレスドッキングセンターがワイヤレス被ドッキング体をアンドッキングするのを可能にする。
【００１３】
［００１８］図１は、ワイヤレス被ドッキング体１１０が無線通信チャネル１３０を通じてワイヤレスドッキングセンター１２０と通信するワイヤレスドッキング環境例１００の概略図である。ワイヤレス被ドッキング体１１０は、ワイヤレスドッキングのために構成されたモバイルデバイスであり、ワイヤレスドッキング環境１００に関するワイヤレス被ドッキング体と呼ぶことができる。ワイヤレス被ドッキング体１１０は、モバイルデバイス、例えば、スマートフォン又はその他のモバイルハンドセット、タブレットコンピュータ、ラップトップコンピュータ、又は、ＷＤＣ１２０と無線で通信することが可能なあらゆるその他の電子デバイス、であることができる。ワイヤレス被ドッキング体１１０は、より大きいデバイス又はシステムの構成要素であることもできる。例えば、ワイヤレス被ドッキング体１１０は、プロセッサ、処理コア、チップセット、又は１つ以上の集積回路であることができる。
【００１４】
［００１９］ワイヤレスドッキングセンター１２０（ワイヤレスドッキングステーション又はワイヤレスドッキングハブと呼ぶこともできる）は、ワイヤレスドッキングセンター１２０がワイヤレス被ドッキング体１１０に対してアドバタイズすること及び／又はワイヤレス被ドッキング体１１０にアクセスを許可することができる様々なサービスを提供することができる様々な周辺機器１４０、１４２、１４４と通信可能な形で結合することができる。ワイヤレスドッキングセンター１２０は、コンピューティング環境内で接続性エージェントとして働くワイヤレスドッキングホストデバイスであることができる。ワイヤレスドッキングセンター１２０は、専用ワイヤレスドックであることができ、又は、スマートフォン又はその他のハンドセット、タブレットコンピュータ、ラップトップコンピュータ、デスクトップコンピュータ、又はその他の電子デバイス内において、又は、上記のうちのいずれかのより大きいデバイス又はシステムの一部として含まれている構成要素、サブシステム、又は１つ以上の集積回路として実装することができる。
【００１５】
［００２０］周辺機器１４０、１４２、１４４は、ディスプレイ、プロジェクタ、スピーカー、キーボード、マウス、ジョイスティック、データ記憶デバイス、ネットワークインタフェースデバイス、その他のドッキングホスト、リモコン、カメラ、マイク、プリンタ、又は、ワイヤレスドッキングセンター１２０と通信することが可能な様々なその他のデバイスのうちのいずれか、を含むことができる。周辺機器１４０、１４２、１４４は、有線又は無線の通信チャネルを介してワイヤレスドッキングセンター１２０に結合することができる。ワイヤレスドッキングセンター１２０は、個々の周辺機器１４０、１４２、１４４の機能をワイヤレスドッキングサービスとして抽象化することができる。
【００１６】
［００２１］無線通信チャネル１３０は、ワイヤレス被ドッキング体１１０とワイヤレスドッキングセンター１２０との間で通信信号を伝播させることが可能なあらゆるチャネルであることができる。幾つかの例においては、無線通信チャネル１３０は、周波数帯域、例えば、２．４ギガヘルツ（ＧＨｚ）帯域、５ＧＨｚ帯域、６０ＧＨｚ帯域、又はその他の周波数帯域の無線周波数通信において実装することができる。幾つかの例においては、無線通信チャネル１３０は、１つ以上の組の規格、プロトコル、又は技術に準拠することができ、例えば、Ｗｉ−Ｆｉ（Ｗｉ−Ｆｉ  Ａｌｌｉａｎｃｅによって促進）、ＷｉＧｉｇ（Ｗｉｒｅｌｅｓｓ  Ｇｉｇａｂｉｔ  Ａｌｌｉａｎｃｅによって促進）、及び／又は米国電気電子学会（ＩＥＥＥ）８０２．１１の規格の組（例えば、８０２．１１、８０２．１１ａ、８０２．１１ｂ、８０２．１１ｇ、８０２．１１ｎ、８０２．１１ａｃ、８０２．１１ａｄ、等）、又はその他の規格、プロトコル、又は技術を含む。無線通信チャネル１３０のために使用される周波数帯域、例えば、２．４ＧＨｚ、５ＧＨｚ、及び６０ＧＨｚ、は、Ｗｉ−Ｆｉ、ＷｉＧｉｇ、いずれかの１つ以上のＩＥＥＥ８０２．１１プロトコル、及び／又はその他の適用可能な規格又はプロトコルの観点で理解されるため、本開示の目的のために定義することができる。幾つかの例においては、ワイヤレス被ドッキング体１１０は、ワイヤレス被ドッキング体１１０及びワイヤレスドッキングセンター１２０が互いに動作可能な通信範囲に入った時点で自動的に、又は、異なる例においては、ユーザによる入力に応答して手動で、無線通信チャネル１３０を通じてのワイヤレスドッキングセンター１２０との通信を確立することができる。
【００１７】
［００２２］以下においてより詳細に説明されるように、ワイヤレス被ドッキング体１１０及びワイヤレスドッキングセンター１２０のうちの１つ以上は、本開示の技法を用いて互いにアンドドッキングするように構成することができる。本開示のアンドッキングプロセスは、ワイヤレス被ドッキング体１１０とワイヤレスドッキングセンター１２０との間の距離（すなわち、ワイヤレス被ドッキング体１１０がワイヤレスドッキングセンター１２０の近傍内に依然として存在するかどうか）に基づくことができる。
【００１８】
［００２３］図２は、本開示の幾つかの例による、互いでのワイヤレスドッキングセッションを確立する前に最初の無線通信を互いにやり取りするための被ドッキング体１１０とドッキングセンター１２０との間における通信の流れのための手順例２００を示した通信図である。発見及び最初の通信のための手順２００は、ワイヤレスドッキングセンター１２０がワイヤレスドッキングセンター１２０に結合された周辺機器の中でいずれの周辺機能にアクセス可能であるか及びワイヤレス被ドッキング体１１０がいずれの周辺機能にアクセスできるようにするかに関してワイヤレス被ドッキング体１１０がワイヤレスドッキングセンター１２０に問い合わせることを可能にする。この手順２００は、周辺機能発見と呼ぶことができる。
【００１９】
［００２４］図２の通信の流れにおいて示されるように、ワイヤレスドッキングセンター１２０及びワイヤレス被ドッキング体１１０は、最初にデバイス発見通信（２０２）をやり取りすることができる。ワイヤレス被ドッキング体１１０は、周辺機能情報（２０４）又はワイヤレスドッキングセンター１２０が利用可能な周辺機能に関する情報、を得るためにワイヤレスドッキングセンター１２０に問い合わせるためのサービス発見問い合わせを送信することができる。該当する周辺機能は、図１に関して周辺機器１４０、１４２、１４４を用いて上述されるように、ワイヤレスドッキングセンター１２０に結合された１つ以上の周辺機器のうちのいずれかからワイヤレスドッキングセンター１２０が利用可能であることができる。ワイヤレスドッキングホストとして働くワイヤレスドッキングセンター１２０は、それの周辺機能情報（２０６）を提供するサービス発見応答を送信することができる。ワイヤレスドッキングセンター１２０は、それにより、ワイヤレス被ドッキング体１１０との関連付け前サービス発見通信（２０４、２０６）において周辺機能をアドバタイズすることができる。これらの通信は、ワイヤレス被ドッキング体１１０とワイヤレスドッキングセンター１２０との間でのワイヤレスドッキングセッションの開始前に生じるという点で関連付け前である。従って、ワイヤレス被ドッキング体１１０は、図２において示される関連付け前サービス発見通信の一部としてのサービス発見応答２０６からワイヤレスドッキングセンター１２０に関連する周辺機能を発見することができる。これらの関連付け前サービス発見通信２０４、２０６の追加の詳細が以下において提供される。
【００２０】
［００２５］図２において示されるデバイス発見通信２０２及びサービス発見通信２０４、２０６は、データリンク層、すなわち、層２（Ｌ２）通信において実装することができる。Ｌ２通信は、様々なタイプの物理層（ＰＨＹ）通信チャネルのうちのいずれかを通じて伝達することができ、上述されるＷｉ−Ｆｉ又はＷｉＧｉｇ規格及び／又はＩＥＥＥ８０２．１１プロトコルのうちのいずれかを含む。ワイヤレス被ドッキング体１１０によって送信されるサービス発見問い合わせ２０４及びワイヤレスドッキングセンター１２０によって送信されるサービス発見応答２０６は、サービス発見アクションフレームを使用することができる。アクションフレーム例は、メディアアクセス制御（ＭＡＣ）ヘッダと、フレームカテゴリと、アクション詳細と、フレーム検査シーケンス（ＦＣＳ）と、を含むことができる。ワイヤレス被ドッキング体１１０によって送信されるサービス発見問い合わせ２０４におけるアクション詳細は、オブジェクト識別子（ＯＩ）フィールドと、問い合わせデータフィールドと、を含むことができる。ワイヤレス被ドッキング体１１０は、サービス発見アクションフレーム内のＯＩフィールドを０ｘ５０６Ｆ９Ａ、すなわち、Ｗｉ−Ｆｉ  Ａｌｌｉａｎｃｅ（ＷＦＡ）の組織固有識別子（Ｏｒｇａｎｉｚａｔｉｏｎａｌｌｙ  Ｕｎｉｑｕｅ  Ｉｄｅｎｔｉｆｉｅｒ）（ＯＵＩ）、に設定することができる。ワイヤレス被ドッキング体１１０は、サービス発見アクションフレーム内の追加のフィールド、例えば、ＯＵＩサブタイプフィールド及びサービスプロトコルタイプフィールド、も設定することができる。ワイヤレス被ドッキング体１１０は、利用可能なドッキングサブ要素に関する情報に関して問い合わせるためのドッキングサブ要素識別子（ＩＤ）のリストを含めるためにサービス発見問い合わせアクションフレームの問い合わせデータフィールドを設定することができる。幾つかの例においては、以下においてさらに説明されるように、ワイヤレス被ドッキング体１１０は、（例えば、ｗｗｗ．ｗ３．ｏｒｇ／ＴＲ／ｓｏａｐ１２−ｐａｒｔ１において定義されているＳＯＡＰ仕様に準拠した）ＳＯＡＰ要求及び応答と、パケットに基づくトランスポート層プロトコルスタック上で走るＧＥＮＡ（Ｇｅｎｅｒａｌ  Ｅｖｅｎｔ  Ｎｏｔｉｆｉｃａｔｉｏｎ  Ａｒｃｈｉｔｅｃｔｕｒｅ）通知と、を含むプレーンテキストペイロードを用いてワイヤレスドッキングセンター１２０と通信することができ、他方、その他の例においては、ワイヤレス被ドッキング体１００は、パケットに基づくトランスポート層プロトコルスタック上で走るバイナリプロトコルを用いてワイヤレスドッキングセンター１２０と通信することができる。ワイヤレス被ドッキング体１１０は、問い合わせデータフィールド内のサービストランザクション識別子（ＩＤ）を設定することもできる。ＳＯＡＰ及びＧＥＮＡペイロードを用いた例に関する問い合わせデータフィールド及びドッキングサブ要素ＩＤの例が以下の表１及び２において示される。
【表１】
2016531461.tif 000003
【表２】
2016531461.tif 000004
【００２１】
［００２６］ＳＯＡＰ及びＧＥＮＡペイロードの代わりにバイナリプロトコルを使用することができる幾つかの例においては、ワイヤレス被ドッキング体１００は、表２において記載されるドッキングサブ要素ＩＤの８又は９の使用を要求することなしにワイヤレスドッキングセンター１２０と通信することができる。
【００２２】
［００２７］ワイヤレスドッキングセンター１２０は、サービス発見応答２０６を送信することによってワイヤレス被ドッキング体１１０からサービス発見問い合わせ２０４を受信したことに応答することができる。ワイヤレスドッキングセンター１２０は、要求されるドッキングサブ要素のリストを含むサービス応答データフィールドを有するサービス発見アクションフレームをサービス発見応答２０６内に含めることができる。ワイヤレスドッキングセンター１２０は、ワイヤレス被ドッキング体１１０がサービス発見応答２０６をサービス発見問い合わせ２０４と関連付けることができるようにするために、ワイヤレス被ドッキング体１１０からのサービス発見問い合わせ２０４の問い合わせデータフィールド内のサービストランザクションＩＤに合致するサービストランザクションＩＤをサービス応答タイプ長値（ＴＬＶ）要素内に含めることができる。ワイヤレスドッキングセンター１２０は、サービス発見応答２０６に含まれるドッキングサービス発見アクションフレーム内のドッキング情報要素（ＩＥ）を設定することができる。幾つかの例においては、ワイヤレスドッキングセンター１２０は、表３において後続して示されるようにサブ要素を含めるためにドッキングＩＥを設定することができる。
【表３】
2016531461.tif 000005
【００２３】
［００２８］サービス発見応答２０６においてワイヤレスドッキングセンター１２０によって提供されるこれらのドッキング情報サブ要素、すなわち、周辺機能情報サブ要素、ドッキングホストＳＯＡＰユニフォームリソースロケータ（ＵＲＬ）サブ要素、及び、ドッキングホスト一般的イベント通知アーキテクチャ（ＧＥＮＡ）ＵＲＬサブ要素、が以下においてさらに説明される。バイナリプロトコルを使用する例においては、ワイヤレスドッキングセンター１２０は、ドッキングサービス発見応答内のドッキング情報要素からの情報サブ要素からドッキングホストＳＯＡＰ  ＵＲＬ及びドッキングホストＧＥＮＡ  ＵＲＬを省略することができる。ＳＯＡＰ及びＧＥＮＡペイロードを使用する幾つかの例においては、ワイヤレス被ドッキング体１１０及びワイヤレスドッキングセンター１２０は、両方とも、ＳＯＡＰ要求及び応答を互いに送信することができ、及び、ワイヤレスドッキングセンター１２０は、ワイヤレス被ドッキング体１１０にＧＥＮＡ通知を送信することができ、ここで、ＳＯＡＰペイロード及びＧＥＮＡペイロードの両方とも、仕様、例えば、送信制御プロトコル／インターネットプロトコル（ＴＣＰ／ＩＰ）又はユーザデータグラムプロトコル／ＩＰ（ＵＤＰ／ＩＰ）に準拠して、例えば、指定されたＵＲＬに対して、及び潜在的に指定されたポート番号、例えば、ＴＣＰポート番号８０（ＨＴＴＰと共通して関連する）、に対して、パケットに基づくトランスポート層プロトコルスタックを通じて送信することができる。
【００２４】
［００２９］周辺機能情報サブ要素は、ワイヤレスドッキングセンター１２０をホストとする周辺機器の周辺機能（ＰＦ）情報を提供することができる。周辺機能情報サブ要素は、表４において示されるデータ構造を有することができ、その後に記載されたフィールドにおいて追加情報を有する。
【表４】
2016531461.tif 000006
【００２５】
［００３０］フィールド“n_ＰＦｓ”には、このＰＦ状態情報データ構造を生成するワイヤレスドッキングセンター１２０をホストとする周辺機能（ＰＦ）の数を入れることができる。ワイヤレスドッキングセンター１２０に結合された１つ以上の周辺機器（例えば、図１の周辺機器１４０、１４２、１４４）は、１つ以上の周辺機能を提供することができる。
【００２６】
［００３１］フィールド“ＰＦ_ＩＤ”には、特定の周辺機能（ＰＦ）のＩＤを入れることができる。行“ｆｏｒ（ｉ＝０；ｉ＜ｎ_ＰＦｓ；ｉ＋＋）”によって示されるように、周辺機能情報サブ要素は、“ｎ_ＰＦｓ”周辺機能のうちの各々に関する周辺機能ＩＤ及び各周辺機能ＩＤに関する関連情報を含むことができる。周辺機能ＩＤは、ワイヤレスドッキングセンター１２０が現在ホスト又はセンターになっているか又はそれまでにホスト又はセンターになったことがあるすべての周辺機能に関して一意であることができる。ワイヤレスドッキングセンター１２０は、周辺機能が新しいとき及び周辺機能が新しくないとき（例えば、マウス周辺機能を提供するマウスが、マウス周辺機能を提供することができる他のマウスによって取って代わられているとき）を指定することができる。
【００２７】
［００３２］フィールド“ＰＦ_ｔｙｐｅ”は、周辺機能の周辺機能タイプを示すことができる。例示的な一組の周辺機能タイプが以下において表５に記載されている。
【００２８】
［００３３］フィールド“ＰＦ_ｎａｍｅ”には、周辺機能のユーザにやさしい名前を入れることができる。この周辺機能名は、ワイヤレスドッキングセンター１２０が利用可能なすべてのＰＦに関して一意であることができる。周辺機能名のフォーマットは、幾つかの例においては、ＵＴＦ−８_Ｓｔｒｉｎｇ（）構造であることができる。
【００２９】
［００３４］フィールド“ＰＦ_ｃａｐａｂｉｌｉｔｙ”には、ワイヤレスドッキングセンター１２０によって報告された周辺機能の能力を入れることができる。幾つかの例においては、周辺機能能力のフォーマットもＵＴＦ−８_Ｓｔｒｉｎｇ（）構造であることができる。
【００３０】
［００３５］フィールド“ｎ_ＰＦＰｓ”には、ある与えられたＰＦ_ＩＤによって参照される特定の周辺機器の使用をサポートするために使用することができる周辺機能プロトコルの数を入れることができる。例示的な一組の周辺機能プロトコルが以下において表６に記載されている。フィールド“ＰＦ_ｓｔａｔｅ”には、以下において表７において定義される状態例と同様に、周辺機能の状態を入れることができる。
【表５】
2016531461.tif 000007
【表６】
2016531461.tif 000008
【表７】
2016531461.tif 000009
【００３１】
［００３６］ドッキングホストＳＯＡＰ  ＵＲＬサブ要素は、ワイヤレスドッキングセンター１２０によって提供されるドッキングプロトコルのためのＳＯＡＰコマンドサービスのＵＲＬを提供する。ドッキングホストＳＯＡＰ  ＵＲＬサブ要素は、表８において後続して示されるデータ構造を有することができる。
【表８】
2016531461.tif 000010
【００３２】
［００３７］ドッキングホストＧＥＮＡ  ＵＲＬサブ要素は、ワイヤレスドッキングセンター１２０によって提供されるドッキングプロトコルのためのＧＥＮＡ通知サービスのＵＲＬを提供する。ドッキングホストＧＥＮＡ  ＵＲＬサブ要素は、表９において後続して示されるデータ構造を有することができる。
【表９】
2016531461.tif 000011
【００３３】
［００３８］本開示の技法により、ワイヤレス被ドッキング体（ＷＤ）１１０及びワイヤレスドッキングセンター（ＷＤＣ）１２０は、互いにアンドッキングするように構成することもできる。本開示のアンドッキングプロセスは、ＷＤ１１０とＷＤＣ１２０との間の決定された距離（すなわち、ＷＤ１１０が依然としてＷＤＣ１２０の近傍に存在するかどうか）に基づくことができる。
【００３４】
［００３９］本開示の文脈においては、ＷＤ１１０は、ＷＤ１１０のユーザがまだ周辺機器を制御しているか又は使用している可能性がない程度まで、ＷＤＣ１２０を通じて接続されている周辺機器から物理的に離れているときにＷＤＣ１２０の“近傍の外”に存在する。従って、同じく本開示の文脈においては、この“近傍の外”条件に基づいてアンドッキングプロセスを行う動作（ＷＤ１１０内、ＷＤＣ１２０内、又は、両方）は、近傍に基づくアンドッキングと呼ばれる。
【００３５】
［００４０］本開示は、２つの一般的な近傍に基づくアンドッキング技法について説明する。１方の技法は、ＷＤが中心であり（すなわち、ほぼ完全にＷＤ１１０によって行われる）、他方の技法は、ＷＤＣによって補助される技法（すなわち、ＷＤＣ１２０又はＷＤ１１０とＷＤＣ１２０の両方による動作を通じて行われる）である。
【００３６】
［００４１］図３は、本開示の技法を実装するように構成されたワイヤレス被ドッキング体及びワイヤレスドッキングセンターの例を示したブロック図である。ＷＤが中心の近傍に基づくアンドッキングに関しては、ＷＤ１１０は、ＷＤ１１０がＷＤＣ１２０の近傍外に存在するという決定に起因してＷＤＣ１２０からアンドッキングすべきときを自己で決定するように構成される。ＷＤが中心の近傍に基づくアンドッキング技法の一例では、ＷＤ１１０とＷＤ１２０との間でのメッセージングは要求されない。代わりに、ＷＤ１１０は、ＷＤ１１０とＷＤＣ１２０との間の測定された信号強度（例えば、図１の無線通信チャネル１３０上の信号の強度）に基づいてアンドッキング決定を行う。
【００３７】
［００４２］一例においては、ＷＤ１１０は、無線通信ユニット１１２と、信号強度測定ユニット１１４と、アンドッキング決定ユニット１１６と、を含むことができる。無線通信ユニット１１２は、例えば、図１を参照して上述される上記の通信技法のうちのいずれかを用いて、ＷＤＣ１２０と通信するように構成された１つ以上のプロセッサ及びトランシーバを備えることができる。ＷＤ１１０は、通信チャネル１３０を通じて（例えば、無線通信ユニット１１２を通じて）ＷＤＣ１２０と通信するために使用される通信プロトコルに関する受信信号強度（ＲＳＳＩ）を測定するように構成することができる信号強度測定ユニット１１４をさらに含むことができる。信号強度測定は、ＷＤＣ１２０から無線通信ユニット１１２によって受信された信号の強度を測定することが可能な１つ以上のプロセッサ、又はあらゆるその他のハードウェアとして実装することができる。
【００３８】
［００４３］上述されるように、一例においては、信号強度測定ユニット１１４は、受信された信号のＲＳＳＩを測定するように構成することができる。ＲＳＳＩは、受信された無線信号内の電力の測定値である。測定されたＲＳＳＩが第１のスレショルド値（すなわち、低い方のスレショルド値）を下回るときには、ＷＤ１１０のアンドッキング決定ユニット１１６は、アンドッキングの準備のためにアンドッキングタイマを始動させるように構成される。アンドッキング決定ユニット１１６は、１つ以上のプロセッサ及び／又は専用ハードウェアを通じて実装することができる。タイマが時間切れになる前に、ＷＤ１１０の信号強度測定ユニット１１４が第２のスレショルド（すなわち、高い方のスレショルド値）よりも高い値でＲＳＳＩを測定した場合は、アンドッキング決定ユニット１１６は、アンドッキング手順を取り消し、タイマを停止させ、ＷＤ１１０は、ＷＤＣ１２０とドッキングされた状態のままになる。第１の低い方のスレショルド値と第２の高い方のスレショルド値との間の差は、ピンポン効果（ｐｉｎｇ−ｐｏｎｇ  ｅｆｆｅｃｔ）を防止するためのヒステリシスとして働く。すなわち、アンドッキングタイマを停止及び始動させるためにＲＳＳＩに関する１つのスレショルド値のみが使用される場合は、ＲＳＳＩがこのスレショルドを越えて何度も変動し、アンドッキングタイマの頻繁な始動及び停止を生じさせる可能性がある。低い方のスレショルド（アンドッキングタイマを始動させる）と高い方のスレショルド（アンドッキングタイマを停止させる）との間でギャップを提供することによって、該ピンポン効果が軽減される。高い方のスレショルド値を上回るＲＳＳＩ測定値の発生前にタイマが時間切れになった場合は、アンドッキングユニット１１６がＷＤ１２０からＷＤ１１０をアンドッキングさせる。
【００３９】
［００４４］ＷＤＣ１２０からいったんアンドッキングされた時点で、ＷＤ１１０は、もはや、ＷＤ１２０を通じて利用可能な周辺機器を使用することができない。ＷＤ１１０は、ＷＤ１２０を通じて利用可能な周辺機器を再度使用するためには、（例えば、図２を参照して上述される技法を用いて）ＷＤＣ１２０に再ドッキングすることが必要になる。同様に、ＷＤ１１０がＷＤＣ１２０からいったんアンドッキングされた時点で、ＷＤＣ１２０を通じて利用可能な周辺機器は、ＷＤ１１０と対話することができなくなる。このようにして、ＷＤ１１０のユーザが知ることなしに悪意のあるユーザが周辺機器を通じてＷＤ１１０と対話するのを防止することができる。
【００４０】
［００４５］幾つかの状況においては、ＷＤ１１０は、ＷＤが中心の近傍に基づくアンドッキングができないことがある（例えば、ＷＤ１１０がＲＳＳＩを測定するように構成されていない場合）。この例においては、本開示は、近傍に基づくアンドッキングを補助するためにＷＤＣ１２０によって行われる追加の／任意選択の手順を提案している。本開示のこの技法は、ＷＤＣによって補助される近傍に基づくアンドッキングと呼ぶことができる。この例においては、ＷＤ１２０は、ＷＤ１１０とＷＤＣ１２０との間における通信信号のＲＳＳＩを測定するように構成される。
【００４１】
［００４６］図３に戻り、ＷＤＣ１２０は、無線通信ユニット１２２と、信号強度測定ユニット１２４と、アンドッキング決定ユニット１２６と、を含むことができる。無線通信ユニット１２２は、例えば、図１を参照して上述される上記の通信技法のうちのいずれかを用いてＷＤ１１０と通信するように構成された１つ以上のプロセッサ及びトランシーバを備えることができる。ＷＤ１２０は、通信チャネル１３０を通じて（例えば、無線通信ユニット１２２を通じて）ＷＤ１１０と通信するために使用される通信プロトコルに関する受信信号強度（ＲＳＳＩ）を測定するように構成することができる信号強度測定ユニット１２４をさらに含むことができる。信号強度測定は、ＷＤ１１０から無線通信ユニット１２２によって受信された信号の強度を測定することが可能な１つ以上のプロセッサ、又はあらゆるその他のハードウェアとして実装することができる。
【００４２】
［００４７］ＷＤＣによって補助される近傍に基づくアンドッキングの例では、ＲＳＳＩが低い方のスレショルド値を下回っていることをＷＤＣ１２０の信号強度測定ユニット１２４が測定した場合は、アンドッキング決定ユニット１２６は、アンドッキング手順が開始中であり、アンドッキング決定ユニット１２６がアンドッキングの準備のためにアンドッキングタイマを始動させることをＷＤ１１０に知らせるためのメッセージを（例えば、無線通信ユニット１２２を通じて）送信するように構成される。ＷＤ１１０は、ペンディング状態であるアンドッキングをユーザに知らせるためにユーザにこのメッセージを表示することができ、それによってユーザがアンドッキングを防止するためにより近い近傍に移動するのを可能にする。アンドッキング決定ユニット１２６は、１つ以上のプロセッサ及び／又は専用ハードウェアを通じて実装することができる。タイマが時間切れになった場合は、アンドッキング決定ユニット１２６がＷＤ１１０をアンドッキングする。信号強度測定ユニット１２４が、高い方のスレショルド値を上回る値でＲＳＳＩを測定した場合は、アンドッキング決定ユニット１２６は、アンドッキングタイマを取り消す。繰り返すと、低い方のスレショルド値と高い方のスレショルド値との間の差は、ピンポン効果を防止するためのヒステリシスとして働く。
【００４３】
［００４８］図４は、ＷＤＣによって補助される近傍に基づくアンドッキング手順のための呼の流れ例を示す。図４において示されるように、ドッキングされている間は、ＷＤ１１０とＷＤＣ１２０との間で周辺機能データ２０６が通信される。周辺機能データ２０６は、ＷＤ１１０及びＷＤＣを通じて利用可能な周辺機器によって使用することができるあらゆるデータ、構文、ハンドシェーキング、等であることができる。
【００４４】
［００４９］ＷＤＣによって補助される近傍に基づくアンドッキング手順では、信号強度トリガ（例えば、ＷＤＣ１２０が低い方のスレショルドを下回るＲＳＳＩを測定する）に基づいてＷＤＣ１２０からＷＤ１１０にアンドッキングペンディングメッセージ２０２をシグナリングすることができる。ＷＤＣ１２０は、低い方のスレショルドを下回る測定されたＲＳＳＩに基づいてアンドッキングタイマを始動させるように構成される。ＷＤＣ１２０が高い方のスレショルドを上回るＲＳＳＩを検出した場合は、アンドッキング取り消しメッセージ２０４がＷＤ１１０に送信されてアンドッキングタイマが停止される。その後に測定されたＲＳＳＩが低い方のスレショルドを下回った場合は、新しいアンドッキングペンディングメッセージ２０２をＷＤ１１０に送信することができ、アンドッキングタイマを再始動させることができる。アンドッキングタイマが時間切れになった場合は、ＷＤＣ１２０がＷＤ１１０からアンドッキングし、周辺機能データ２０６通信が停止する。
【００４５】
［００５０］ＷＤＣ１２０及びＷＤ１１０の両方が、ＷＤ１１０がＷＤＣ１２０の近傍内に存在するかどうかを推定するために正規化ＲＳＳＩ（ＮＲＳＳＩ）を使用することができる。ＮＲＳＳＩとは、現在検出されているＲＳＳＩを基準ＲＳＳＩで割った値であると定義される。基準ＲＳＳＩ値は、１）ユーザによって期待されるアクティブなドッキングセッションに関する最大機能距離及び該最大距離に関するフィールドテストで検出されたＲＳＳＩに基づいて選択することができる。
【００４６】
［００５１］一例においては、ＮＲＳＳＩスレショルド上限、ＮＲＳＳＩ_ＴＵを０．６に設定することができ、ＮＲＳＳＩスレショルド下限、ＮＲＳＳＩ_ＴＬは、０．５に設定することができる。実際の値にかかわらず、上限のスレショルドは、下限のスレショルドよりも大きい値に設定される。すなわち、ＮＲＳＳＩ_ＴＵ＞ＮＲＳＳＩ_ＴＬである。
【００４７】
［００５２］図５は、ＷＤＣによって補助される近傍に基づくアンドッキング手順例をより詳細に示したステートマシン例である。図５の左欄は、ＷＤ１１０及びＷＤＣ１２０がアンドッキングされているときの無線ドッキング環境（すなわち、ＷＤ１１０及びＷＤＣ１２０）の状態を表す。中央の欄は、アンドッキングがペンディングであるときの状態を示す。右欄は、ＷＤ１１０及びＷＤＣ１２０がドッキングされているときの状態を示す。
【００４８】
［００５３］最初に、ＷＤ１１０及びＷＤＣ１２０はアンドッキングされた状態３０２にある。ドッキングは、例えば、図２を参照して上述される技法を用いたドッキングセッションセットアップ３０４を通じて達成することができる。しかしながら、あらゆるドッキング確立技法を使用することができる。いったんドッキングされた時点で、ＷＤ１１０及びＷＤＣ１２０はドッキングされた状態３０６にあり、従って、ＷＤ１１０がＷＤＣ１２０を通じて周辺機器１４０、１４２、及び１４４と対話すること及び周辺機器１４０、１４２、及び１４４を使用することを可能にする。ＷＤ１１０及びＷＤＣ１２０は、アンドッキングがトリガされるまでドッキングされた状態３０６にある。一例においては、従来のアンドッキングトリガ、例えば、ドッキングセッションテアダウン（ｔｅａｒｄｏｗｎ）又は接続エラー３０８、を使用することができる。ドッキングセッションテアダウンは、ＷＤ１１０による手動アンドッキング要求であることができる。接続エラーは、ＷＤ１１０とＷＤＣ１２０との間で通信が失われるときに発生することができる。ドッキングセッションテアダウン又は接続エラー３０８が発生した場合は、ＷＤ１１０及びＷＤＣ１２０は、アンドッキングされた状態３０２に戻る。
【００４９】
［００５４］本開示の技法に基づき、ＷＤ１１０及びＷＤＣ１２０をアンドッキングするための他のトリガは、ＷＤ１１０とＷＤＣ１２０との間での通信の信号強度（例えば、ＮＲＳＳＩ）を測定することを含むことができる。状態３１０では、ＷＤＣ１２０は、ＮＲＳＳＩが低い方のスレショルド（ＮＲＳＳＩ_ＴＬ）を下回っていることを測定する。その他の例においては、上述されるように、ＷＤ１１０は、信号強度を測定するように構成することができる。ＮＲＳＳＩが低い方のスレショルドを下回るとの決定に基づいて、ＷＤＣ１２０は、ＷＤ１１０にアンドッキングペンディング通信メッセージ３１２２を送信する。ＷＤ１１０は、アンドッキングがペンディング状態であることをユーザに知らせるためにユーザにこのメッセージを表示することができ、それによって、ユーザがアンドッキングを回避するためにより近い近傍に移動するのを可能にする。
【００５０】
［００５５］通知３１２を送信後は、ＷＤＣ１２０は、アンドッキングペンディングタイマ３１４を始動させ、ＷＤ１１０及びＷＤＣ１２０はアンドッキングペンディング状態３１６に移行する。アンドッキングペンディングタイマが時間切れになった（状態３１８）場合は、ＷＤ１１０及びＷＤ１２０はドッキングセッションテアダウン状態３２２に移行し、最終的には、アンドッキング状態３０２に移行する。しかしながら、ＮＲＳＳＩが高い方のスレショルド（ＮＲＳＳＩ_ＴＵ）３２０を上回って移行したことをＷＤＣ１２０が測定した場合は、ＷＤＣ１２０は、ＷＤ１１０にドッキング再開通知メッセージ３２４を送信することができる。ＷＤ１１０は、ドッキングを継続することができることをＷＤ１１０のユーザに知らせるためにユーザにこのメッセージを表示することができる。該メッセージは、アンドッキングペンディングメッセージ３１２を取り除くために使用することもできる。これで、ＷＤＣ１２０は、アンドッキングペンディングタイマ３２６を取り消し、ＷＤ１１０及びＷＤＣ１２０がドッキングされた状態３０６に戻る。
【００５１】
［００５６］図６は、本開示の技法による方法例を示したフローチャートである。図４の方法は、ＷＤ１１０又はＷＤＣ１２０のいずれかによって実行することができる。
【００５２】
［００５７］本開示の一例においては、無線ドッキング環境における近傍に基づくアンドッキングのための方法は、ワイヤレス被ドッキング体とワイヤレスドッキングセンターとの間での通信の信号強度を測定することと（４０２）、測定された信号強度に基づいてワイヤレスドッキングセンターからワイヤレス被ドッキング体をアンドッキングすることと（４０４）、を備える。一例においては、測定された信号強度は、正規化受信信号強度（ＮＲＳＳＩ）である。
【００５３】
［００５８］一例においては、ＷＤ１１０又はＷＤＣ１２０のいずれかを、次のステップを用いて測定された信号強度に基づいてワイヤレスドッキングセンターからワイヤレス被ドッキング体をアンドッキングするように構成することができる。測定された信号強度が低い方のスレショルドを下回る場合は、ＷＤ１１０又はＷＤＣ１２０がタイマを始動させる。ＷＤ１１０又はＷＤＣ１２０は、ワイヤレス被ドッキング体とワイヤレスドッキングセンターとの間での通信の信号強度を測定するのを継続する。ＷＤ１１０又はＷＤＣ１２０は、測定された信号強度が高い方のスレショルドを上回る場合はタイマを停止させ、それにより、ワイヤレス被ドッキング体及びワイヤレスドッキングセンターはドッキングされた状態であり、ここにおいて、高い方のスレショルドは、低い方のスレショルドよりも高い値を有する。ＷＤ１１０又はＷＤＣ１２０は、タイマが時間切れになった場合はワイヤレスドッキングセンターからワイヤレス被ドッキング体をアンドッキングする。
【００５４】
［００５９］他の例においては、ＷＤＣ１２０は、次のステップを用いて測定された信号強度に基づいてワイヤレスドッキングセンターからワイヤレス被ドッキング体をアンドッキングするように構成することができる。測定された信号強度が低い方のスレショルドを下回る場合は、ＷＤＣ１２０がタイマを始動させる。ＷＤＣ１２０は、アンドッキングがペンディング状態であることを示すメッセージをＷＤＣ１２０からワイヤレス被ドッキング体に送信する。ＷＤＣ１２０は、ワイヤレス被ドッキング体とＷＤＣ１２０との間での通信の信号強度を測定するのを継続する。ＷＤＣ１２０は、測定された信号強度が高い方のスレショルドを上回る場合はタイマを停止させ、それにより、ワイヤレス被ドッキング体及びワイヤレスドッキングセンターはドッキングされた状態であり、ここにおいて、高い方のスレショルドは、低い方のスレショルドよりも高い値を有する。ＷＤＣ１２０は、タイマが時間切れになった場合はワイヤレスドッキングセンターからワイヤレス被ドッキング体をアンドッキングする。
【００５５】
［００６０］例に依存して、ここにおいて説明されるいずれかの技法の幾つかの行為又はイベントは、異なったシーケンスで行うことができ、追加すること、統合すること、又はすべて省略することができることが認識されるべきである（例えば、技法の実践のためにすべての説明される行為又はイベントが必要であるわけではない）。さらに、幾つかの例においては、行為又はイベントは、順次ではなく、マルチスレッド処理、割り込み処理、又は複数のプロセッサを通じて、同時並行して行うことができる。
【００５６】
［００６１］１つ以上の例において、説明される機能は、ハードウェア、ソフトウェア、ファームウェア、又はそれらのあらゆる組み合わせにおいて実装することができる。ソフトウェアにおいて実装される場合は、それらの機能は、コンピュータによって読み取り可能な媒体において１つ以上の命令又はコードとして格納又は送信すること及びハードウェアに基づく処理ユニットによって実行することができる。コンピュータによって読み取り可能な媒体は、コンピュータによって読み取り可能な記憶媒体を含むことができ、それは、有形な媒体、例えば、データ記憶媒体、又は、例えば、通信プロトコルにより、１つの場所から他へのコンピュータプログラムの転送を容易にするあらゆる媒体を含む通信媒体、に対応する。このように、コンピュータによって読み取り可能な媒体は、概して、（１）非一時的である有形なコンピュータによって読み取り可能な記憶媒体又は（２）通信媒体、例えば、信号又は搬送波、に対応することができる。データ記憶媒体は、本開示において説明される技法の実装のために命令、コード及び／又はデータ構造を取り出すために１つ以上のコンピュータ又は１つ以上のプロセッサによってアクセスすることができるあらゆる利用可能な媒体であることができる。コンピュータプログラム製品は、コンピュータによって読み取り可能な媒体を含むことができる。
【００５７】
［００６２］一例により、及び限定することなしに、該コンピュータによって読み取り可能な記憶媒体は、希望されるプログラムコードを命令又はデータ構造の形態で格納するために使用することができ及びコンピュータによってアクセス可能であるＲＡＭ、ＲＯＭ、ＥＥＰＲＯＭ、ＣＤ−ＲＯＭ又はその他の光学ディスク記憶装置、磁気ディスク記憶装置、又はその他の磁気記憶デバイス、フラッシュメモリ、又はその他のいずれかの媒体を備えることができる。さらに、どのような接続も、コンピュータによって読み取り可能な媒体であると適切に呼ばれる。例えば、命令が、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、媒体の定義の中に含まれる。しかしながら、コンピュータによって読み取り可能な記憶媒体及びデータ記憶媒体は、コネクション、搬送波、信号、又はその他の遷移媒体は含まず、代わりに、非一時的な、有形の記憶媒体を対象とすることが理解されるべきである。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、Ｂｌｕ−ｒａｙ（登録商標）ディスク（ｄｉｓｃ）と、を含み、ここで、ｄｉｓｋは、通常は磁気的にデータを複製し、ｄｉｓｃは、レーザを用いて光学的にデータを複製する。上記の組み合わせも、コンピュータによって読み取り可能な媒体の適用範囲内に含められるべきである。
【００５８】
［００６３］命令は、１つ以上のプロセッサ、例えば、１つ以上のデジタル信号プロセッサ（ＤＳＰ）、汎用マイクロプロセッサ、特定用途向け集積回路（ＡＳＩＣ）、フィールドプログラマブルロジックアレイ（ＦＰＧＡ）、又はその他の同等の集積又はディスクリート論理回路によって実行することができる。従って、ここにおいて用いられる場合の用語“プロセッサ”は、上記の構造又はここにおいて説明される技法の実装に適するあらゆるその他の構造のうちのいずれかを意味することができる。さらに、幾つかの態様では、ここにおいて説明される機能は、符号化および復号のために構成された専用のハードウェア及び／又はソフトウェアモジュール内において提供すること、又は組み合わされたコーデック内に組み入れることができる。さらに、技法は、１つ以上の回路又は論理素子内に完全に実装することが可能である。
【００５９】
［００６４］本開示の技法は、無線ハンドセット、集積回路（ＩＣ）又は一組のＩＣ（例えば、チップセット）を含む非常に様々なデバイス又は装置内に実装することができる。本開示では、開示される技法を実施するように構成されたデバイスの機能上の態様を強調するために様々なコンポーネント、モジュール、又はユニットが説明されるが、異なるハードウェアユニットによる実現は必ずしも要求しない。むしろ、上述されるように、様々なユニットは、適切なソフトウェア及び／又はファームウェアと関係させて、コーデックハードウェアユニット内において結合させること又は上述されるように１つ以上のプロセッサを含む相互運用的なハードウェアユニットの集合によって提供することができる。
【００６０】
［００６５］様々な例が説明されている。これらの及びその他の例は、以下の請求項の範囲内である。
【図１】
2016531461.tif 000012
【図２】
2016531461.tif 000013
【図３】
2016531461.tif 000014
【図４】
2016531461.tif 000015
【図５】
2016531461.tif 000016
【図６】
2016531461.tif 000017
【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
ワイヤレスドッキング環境における近傍に基づくアンドッキングのための方法であって、
ワイヤレス被ドッキング体とワイヤレスドッキングセンターとの間での通信の信号強度を測定することと、
前記測定された信号強度が低い方のスレショルドを下回る場合はタイマを始動させることと、
前記ワイヤレス被ドッキング体と前記ワイヤレスドッキングセンターとの間での前記通信の前記信号強度を測定するのを継続することと、
前記測定された信号強度が高い方のスレショルドを上回る場合は前記タイマを停止させることであって、それによって前記ワイヤレス被ドッキング体及び前記ワイヤレスドッキングセンターはドッキングされた状態であり、ここにおいて、前記高い方のスレショルドは、前記低い方のスレショルドよりも高い値を有することと、
前記タイマが時間切れである場合に前記ワイヤレスドッキングセンターから前記ワイヤレス被ドッキング体をアンドッキングすることと、
を備える、方法。
【請求項２】
前記測定された信号強度は、正規化受信信号強度（ＮＲＳＳＩ）である請求項１に記載の方法。
【請求項３】
前記低い方のスレショルドを下回る前記測定された信号強度に応答してアンドッキングがペンディング状態であることを示すメッセージを前記ワイヤレスドッキングセンターから前記ワイヤレス被ドッキング体に送信することをさらに備える請求項１に記載の方法。
【請求項４】
前記方法は、前記ワイヤレスドッキングセンターによって実行される請求項１、２、または３のうちのいずれかに記載の方法。
【請求項５】
前記方法は、前記ワイヤレス被ドッキング体によって実行される請求項１または２のうちのいずれかに記載の方法。
【請求項６】
ワイヤレスドッキング環境において近傍に基づくアンドッキングを行うように構成されたワイヤレス被ドッキング体であって、
ワイヤレスドッキングセンターと通信するように構成された無線通信ユニットと、
前記ワイヤレス被ドッキング体と前記ワイヤレスドッキングセンターとの間での前記通信の信号強度を測定するように構成された信号強度測定ユニットと、
前記測定された信号強度に基づいて前記ワイヤレスドッキングセンターから前記ワイヤレス被ドッキング体をアンドッキングするように構成されたアンドッキング決定ユニットと、を備え、
前記アンドッキング決定ユニットは、
前記測定された信号強度が低い方のスレショルドを下回る場合はタイマを始動させるように構成され、
前記ワイヤレス被ドッキング体と前記ワイヤレスドッキングセンターとの間での前記通信の前記信号強度を測定するのを継続するように構成され、
前記測定された信号強度が高い方のスレショルドを上回る場合は前記タイマを停止させるように構成され、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有し、及び
前記タイマが時間切れである場合に前記ワイヤレスドッキングセンターから前記ワイヤレス被ドッキング体をアンドッキングするように構成される、ワイヤレス被ドッキング体。
【請求項７】
前記測定された信号強度は、正規化受信信号強度（ＮＲＳＳＩ）である請求項６に記載のワイヤレス被ドッキング体。
【請求項８】
ワイヤレスドッキング環境において近傍に基づくアンドッキングを行うように構成されたワイヤレスドッキングセンターであって、
ワイヤレス被ドッキング体と通信するように構成された無線通信ユニットと、
前記ワイヤレス被ドッキング体と前記ワイヤレスドッキングセンターとの間での前記通信の信号強度を測定するように構成された信号強度測定ユニットと、
前記測定された信号強度に基づいて前記ワイヤレスドッキングセンターから前記ワイヤレス被ドッキング体をアンドッキングするように構成されたアンドッキング決定ユニットと、を備え、
前記アンドッキング決定ユニットは、
前記測定された信号強度が低い方のスレショルドを下回る場合はタイマを始動させるようにさらに構成され、
前記ワイヤレス被ドッキング体と前記ワイヤレスドッキングセンターとの間での前記通信の前記信号強度を測定するのを継続するようにさらに構成され、
前記測定された信号強度が高い方のスレショルドを上回る場合は前記タイマを停止させるようにさらに構成され、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有し、及び
前記タイマが時間切れである場合に前記ワイヤレスドッキングセンターから前記ワイヤレス被ドッキング体をアンドッキングするようにさらに構成される、ワイヤレスドッキングセンター。
【請求項９】
前記測定された信号強度は、正規化受信信号強度（ＮＲＳＳＩ）である請求項８に記載のワイヤレスドッキングセンター。
【請求項１０】
前記アンドッキング決定ユニットは、
前記低い方のスレショルドを下回る前記測定された信号強度に応答してアンドッキングがペンディング状態であることを示すメッセージを前記ワイヤレス被ドッキング体に送信するようにさらに構成される、請求項８に記載のワイヤレスドッキングセンター。
【請求項１１】
ワイヤレスドッキング環境において近傍に基づくアンドッキングを行うように構成された装置であって、
ワイヤレス被ドッキング体とワイヤレスドッキングセンターとの間での通信の信号強度を測定するための手段と、
前記測定された信号強度に基づいて前記ワイヤレスドッキングセンターから前記ワイヤレス被ドッキング体をアンドッキングするための手段と、を備え、
前記測定された信号強度に基づいて前記ワイヤレスドッキングセンターから前記ワイヤレス被ドッキング体をアンドッキングするための前記手段は、
前記測定された信号強度が低い方のスレショルドを下回る場合はタイマを始動させるための手段と、
前記ワイヤレス被ドッキング体と前記ワイヤレスドッキングセンターとの間での前記通信の前記信号強度を測定するのを継続するための手段と、
前記測定された信号強度が高い方のスレショルドを上回る場合は前記タイマを停止させるための手段であって、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有する手段と、
前記タイマが時間切れである場合に前記ワイヤレスドッキングセンターから前記ワイヤレス被ドッキング体をアンドッキングするための手段と、を備える装置。
【請求項１２】
前記測定された信号強度は、正規化受信信号強度（ＮＲＳＳＩ）である請求項１１に記載の装置。
【請求項１３】
前記測定された信号強度に基づいて前記ワイヤレスドッキングセンターから前記ワイヤレス被ドッキング体をアンドッキングするための前記手段は、
前記低い方のスレショルドを下回る前記測定された信号強度に応答してアンドッキングがペンディング状態であることを示すメッセージを前記ワイヤレスドッキングセンターから前記ワイヤレス被ドッキング体に送信するための手段を備える請求項１１に記載の装置。
【請求項１４】
前記装置は、前記ワイヤレスドッキングセンターである請求項１１、１２、または１３のうちのいずれかに記載の装置。
【請求項１５】
前記装置は、前記ワイヤレス被ドッキング体である請求項１１または１２のうちのいずれかに記載の装置。
【請求項１６】
実行されたときに、
ワイヤレス被ドッキング体とワイヤレスドッキングセンターとの間での通信の信号強度を測定し、
前記測定された信号強度が低い方のスレショルドを下回る場合はタイマを始動させ、
前記ワイヤレス被ドッキング体と前記ワイヤレスドッキングセンターとの間での前記通信の前記信号強度を測定するのを継続し、
前記測定された信号強度が高い方のスレショルドを上回る場合は前記タイマを停止させ、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有し、及び
前記タイマが時間切れである場合に前記ワイヤレスドッキングセンターから前記ワイヤレス被ドッキング体をアンドッキングすることを近傍に基づくアンドッキングを行うように構成されたデバイスの１つ以上のプロセッサに行わせる命令を格納するコンピュータによって読み取り可能な記憶媒体。
【請求項１７】
前記測定された信号強度は、正規化受信信号強度（ＮＲＳＳＩ）である請求項１６に記載のコンピュータによって読み取り可能な記憶媒体。
【請求項１８】
前記命令は、
前記低い方のスレショルドを下回る前記測定された信号強度に応答してアンドッキングがペンディング状態であることを示すメッセージを前記ワイヤレスドッキングセンターから前記ワイヤレス被ドッキング体に送信することを前記１つ以上のプロセッサにさらに行わせる請求項１６に記載のコンピュータによって読み取り可能な記憶媒体。
【請求項１９】
前記デバイスは、前記ワイヤレスドッキングセンターである請求項１６、１７、または１８のうちのいずれかに記載のコンピュータによって読み取り可能な記憶媒体。
【請求項２０】
前記デバイスは、前記ワイヤレス被ドッキング体である請求項１６または１７のうちのいずれかに記載のコンピュータによって読み取り可能な記憶媒体。
【手続補正２】
【補正対象書類名】明細書
【補正対象項目名】００６０
【補正方法】変更
【補正の内容】
【００６０】
［００６５］様々な例が説明されている。これらの及びその他の例は、以下の請求項の範囲内である。
以下に、出願当初の特許請求の範囲に記載された発明を付記する。
［Ｃ１］
ワイヤレスドッキング環境における近傍に基づくアンドッキングのための方法であって、
ワイヤレス被ドッキング体とワイヤレスドッキングセンターとの間での通信の信号強度を測定することと、
前記測定された信号強度に基づいて前記ワイヤレスドッキングセンターから前記ワイヤレス被ドッキング体をアンドッキングすることと、を備える、方法。
［Ｃ２］
前記測定された信号強度は、正規化受信信号強度（ＮＲＳＳＩ）であるＣ１に記載の方法。
［Ｃ３］
前記測定された信号強度に基づいて前記ワイヤレスドッキングセンターから前記ワイヤレス被ドッキング体をアンドッキングすることは、
前記測定された信号強度が低い方のスレショルドを下回る場合はタイマを始動させることと、
前記ワイヤレス被ドッキング体と前記ワイヤレスドッキングセンターとの間での前記通信の前記信号強度を測定するのを継続することと、
前記測定された信号強度が高い方のスレショルドを上回る場合は前記タイマを停止させることであって、それによって前記ワイヤレス被ドッキング体及び前記ワイヤレスドッキングセンターはドッキングされた状態であり、ここにおいて、前記高い方のスレショルドは、前記低い方のスレショルドよりも高い値を有することと、
前記タイマが時間切れである場合に前記ワイヤレスドッキングセンターから前記ワイヤレス被ドッキング体をアンドッキングすることと、を備えるＣ１に記載の方法。
［Ｃ４］
前記測定された信号強度に基づいて前記ワイヤレスドッキングセンターから前記ワイヤレス被ドッキング体をアンドッキングすることは、
前記測定された信号強度が低い方のスレショルドを下回る場合はタイマを始動させることと、
アンドッキングがペンディング状態であることを示すメッセージを前記ワイヤレスドッキングセンターから前記ワイヤレス被ドッキング体に送信することと、
前記ワイヤレス被ドッキング体と前記ワイヤレスドッキングセンターとの間での前記通信の前記信号強度を測定するのを継続することと、
前記測定された信号強度が高い方のスレショルドを上回る場合は前記タイマを停止させることであって、それによって、前記ワイヤレス被ドッキング体及び前記ワイヤレスドッキングセンターはドッキングされた状態であり、ここにおいて、前記高い方のスレショルドは、前記低い方のスレショルドよりも高い値を有することと、
前記タイマが時間切れである場合に前記ワイヤレスドッキングセンターから前記ワイヤレス被ドッキング体をアンドッキングすることと、を備えるＣ１に記載の方法。
［Ｃ５］
前記方法は、前記ワイヤレスドッキングセンターによって実行されるＣ１乃至４のうちのいずれかに記載の方法。
［Ｃ６］
前記方法は、前記ワイヤレス被ドッキング体によって実行されるＣ１乃至３のうちのいずれかに記載の方法。
［Ｃ７］
ワイヤレスドッキング環境において近傍に基づくアンドッキングを行うように構成されたワイヤレス被ドッキング体であって、
ワイヤレスドッキングセンターと通信するように構成された無線通信ユニットと、
前記ワイヤレス被ドッキング体と前記ワイヤレスドッキングセンターとの間での前記通信の信号強度を測定するように構成された信号強度測定ユニットと、
前記測定された信号強度に基づいて前記ワイヤレスドッキングセンターから前記ワイヤレス被ドッキング体をアンドッキングするように構成されたアンドッキング決定ユニットと、を備える、ワイヤレス被ドッキング体。
［Ｃ８］
前記測定された信号強度は、正規化受信信号強度（ＮＲＳＳＩ）であるＣ７に記載のワイヤレス被ドッキング体。
［Ｃ９］
前記アンドッキング決定ユニットは、
前記測定された信号強度が低い方のスレショルドを下回る場合はタイマを始動させるようにさらに構成され、
前記ワイヤレス被ドッキング体と前記ワイヤレスドッキングセンターとの間での前記通信の前記信号強度を測定するのを継続するようにさらに構成され、
前記測定された信号強度が高い方のスレショルドを上回る場合は前記タイマを停止させるようにさらに構成され、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有し、及び
前記タイマが時間切れである場合に前記ワイヤレスドッキングセンターから前記ワイヤレス被ドッキング体をアンドッキングするようにさらに構成されるＣ７に記載のワイヤレス被ドッキング体。
［Ｃ１０］
ワイヤレスドッキング環境において近傍に基づくアンドッキングを行うように構成されたワイヤレスドッキングセンターであって、
ワイヤレス被ドッキング体と通信するように構成された無線通信ユニットと、
前記ワイヤレス被ドッキング体と前記ワイヤレスドッキングセンターとの間での前記通信の信号強度を測定するように構成された信号強度測定ユニットと、
前記測定された信号強度に基づいて前記ワイヤレスドッキングセンターから前記ワイヤレス被ドッキング体をアンドッキングするように構成されたアンドッキング決定ユニットと、を備える、ワイヤレスドッキングセンター。
［Ｃ１１］
前記測定された信号強度は、正規化受信信号強度（ＮＲＳＳＩ）であるＣ１０に記載のワイヤレスドッキングセンター。
［Ｃ１２］
前記アンドッキング決定ユニットは、
前記測定された信号強度が低い方のスレショルドを下回る場合はタイマを始動させるようにさらに構成され、
前記ワイヤレス被ドッキング体と前記ワイヤレスドッキングセンターとの間での前記通信の前記信号強度を測定するのを継続するようにさらに構成され、
前記測定された信号強度が高い方のスレショルドを上回る場合は前記タイマを停止させるようにさらに構成され、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有し、及び
前記タイマが時間切れである場合に前記ワイヤレスドッキングセンターから前記ワイヤレス被ドッキング体をアンドッキングするようにさらに構成されるＣ１０に記載のワイヤレスドッキンセンター。
［Ｃ１３］
前記アンドッキング決定ユニットは、
前記測定された信号強度が低い方のスレショルドを下回る場合はタイマを始動させるようにさらに構成され、
アンドッキングがペンディング状態であることを示すメッセージを前記ワイヤレス被ドッキング体に送信するようにさらに構成され、
前記ワイヤレス被ドッキング体と前記ワイヤレスドッキングセンターとの間での前記通信の前記信号強度を測定するのを継続するようにさらに構成され、
前記測定された信号強度が高い方のスレショルドを上回る場合は前記タイマを停止させるようにさらに構成され、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有し、及び
前記タイマが時間切れである場合に前記ワイヤレスドッキングセンターから前記ワイヤレス被ドッキング体をアンドッキングするようにさらに構成されるＣ１０に記載のワイヤレスドッキングセンター。
［Ｃ１４］
ワイヤレスドッキング環境において近傍に基づくアンドッキングを行うように構成された装置であって、
ワイヤレス被ドッキング体とワイヤレスドッキングセンターとの間での通信の信号強度を測定するための手段と、
前記測定された信号強度に基づいて前記ワイヤレスドッキングセンターから前記ワイヤレス被ドッキング体をアンドッキングするための手段と、を備える、装置。
［Ｃ１５］
前記測定された信号強度は、正規化受信信号強度（ＮＲＳＳＩ）であるＣ１４に記載の装置。
［Ｃ１６］
前記測定された信号強度に基づいて前記ワイヤレスドッキングセンターから前記ワイヤレス被ドッキング体をアンドッキングするための前記手段は、
前記測定された信号強度が低い方のスレショルドを下回る場合はタイマを始動させるための手段と、
前記ワイヤレス被ドッキング体と前記ワイヤレスドッキングセンターとの間での前記通信の前記信号強度を測定するのを継続するための手段と、
前記測定された信号強度が高い方のスレショルドを上回る場合は前記タイマを停止させるための手段であって、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有する手段と、
前記タイマが時間切れである場合に前記ワイヤレスドッキングセンターから前記ワイヤレス被ドッキング体をアンドッキングするための手段と、を備えるＣ１４に記載の装置。
［Ｃ１７］
前記測定された信号強度に基づいて前記ワイヤレスドッキングセンターから前記ワイヤレス被ドッキング体をアンドッキングするための前記手段は、
前記測定された信号強度が低い方のスレショルドを下回る場合はタイマを始動させるための手段と、
アンドッキングがペンディング状態であることを示すメッセージを前記ワイヤレスドッキングセンターから前記ワイヤレス被ドッキング体に送信するための手段と、
前記ワイヤレス被ドッキング体と前記ワイヤレスドッキングセンターとの間での前記通信の前記信号強度を測定するのを継続するための手段と、
前記測定された信号強度が高い方のスレショルドを上回る場合は前記タイマを停止させるための手段であって、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有する手段と、
前記タイマが時間切れである場合に前記ワイヤレスドッキングセンターから前記ワイヤレス被ドッキング体をアンドッキングするための手段と、を備えるＣ１４に記載の装置。
［Ｃ１８］
前記装置は、前記ワイヤレスドッキングセンターであるＣ１４乃至１７のうちのいずれかに記載の装置。
［Ｃ１９］
前記装置は、前記ワイヤレス被ドッキング体であるＣ１４乃至１６のうちのいずれかに記載の装置。
［Ｃ２０］
実行されたときに、
ワイヤレス被ドッキング体とワイヤレスドッキングセンターとの間での通信の信号強度を測定し、及び
前記測定された信号強度に基づいて前記ワイヤレスドッキングセンターから前記ワイヤレス被ドッキング体をアンドッキングすることを近傍に基づくアンドッキングを行うように構成されたデバイスの１つ以上のプロセッサに行わせる命令を格納するコンピュータによって読み取り可能な記憶媒体。
［Ｃ２１］
前記測定された信号強度は、正規化受信信号強度（ＮＲＳＳＩ）であるＣ２０に記載のコンピュータによって読み取り可能な記憶媒体。
［Ｃ２２］
前記命令は、
前記測定された信号強度が低い方のスレショルドを下回る場合はタイマを始動させ、
前記ワイヤレス被ドッキング体と前記ワイヤレスドッキングセンターとの間での前記通信の前記信号強度を測定するのを継続し、
前記測定された信号強度が高い方のスレショルドを上回る場合は前記タイマを停止させ、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有し、及び
前記タイマが時間切れである場合に前記ワイヤレスドッキングセンターから前記ワイヤレス被ドッキング体をアンドッキングすることを前記１つ以上のプロセッサにさらに行わせるＣ２０に記載のコンピュータによって読み取り可能な記憶媒体。
［Ｃ２３］
前記命令は、
前記測定された信号強度が低い方のスレショルドを下回る場合はタイマを始動させ、
アンドッキングがペンディング状態であることを示すメッセージを前記ワイヤレスドッキングセンターから前記ワイヤレス被ドッキング体に送信し、
前記ワイヤレス被ドッキング体と前記ワイヤレスドッキングセンターとの間での前記通信の前記信号強度を測定するのを継続し、
前記測定された信号強度が高い方のスレショルドを上回る場合は前記タイマを停止させ、それにより、前記ワイヤレス被ドッキング体及び前記ワイヤレスドッキングセンターはドッキングされた状態であり、ここにおいて、前記高い方のスレショルドは、前記低い方のスレショルドよりも高い値を有し、及び
前記タイマが時間切れである場合に前記ワイヤレスドッキングセンターから前記ワイヤレス被ドッキング体をアンドッキングすることを前記１つ以上のプロセッサにさらに行わせるＣ２０に記載のコンピュータによって読み取り可能な記憶媒体。
［Ｃ２４］
前記デバイスは、前記ワイヤレスドッキングセンターであるＣ２０乃至２３のうちのいずれかに記載のコンピュータによって読み取り可能な記憶媒体。
［Ｃ２５］
前記デバイスは、前記ワイヤレス被ドッキング体であるＣ２０乃至２２のうちのいずれかに記載のコンピュータによって読み取り可能な記憶媒体。
【国際調査報告】
2016531461.tif 000018
2016531461.tif 000019